(57)【要約】【課題】  編幅方向の中間での面圧不均一を防ぐことが可能で、中間での面圧付与が引下げ部材間を開く動作に影響しない編地引下げ装置を提供する。【解決手段】  編地引下げ装置１は、編幅方向の中間に押圧レバー５を備え、メインローラー３，４間に面圧を付与する。編幅方向の両側に設ける開閉機構は、揺動で一方のメインローラー４を他方のメインローラー３に対して開閉する。両側の開閉機構の揺動は、編幅方向に延びる開閉軸６で連動させる。押圧レバー５は、開閉軸６に挿通され、開閉軸６を支点にして揺動する。開閉軸６と押圧レバー５との間には、切替え部材７が介在する。切替え部材７の孔７ｃと押圧レバー５のピン５ｅとの間で形成する連動切替え部１２は、メインローラー３，４間が閉じても、孔７ｃとピン５ｅとの間の隙間の範囲内で、面圧ばね８による面圧付与を有効にし、面圧付与が開く動作に影響しないようにする。【選択図】図１
2020200551.tif 000002
【特許請求の範囲】
【請求項１】
横編機で編成されて歯口下方に垂れ下がる編地を挟むことが可能な一対の引下げ部材であって、
両引下げ部材は、相互間を開く方向と閉じる方向とに開閉可能で、
各引下げ部材は、編幅方向に延びる回転軸で周回駆動される外周を有し、
周回駆動は、外周間に編地を挟むことが可能な閉じる状態で、編地を引下げる方向に行われる
引下げ部材と、
編幅方向の少なくとも一方側に設けられる回転軸の駆動機構と、
編幅方向の両側に設けられる両引下げ部材の開閉機構と、
編幅方向に延びて両側の開閉機構を連動させるように回動する開閉軸と
を備える編地引下げ装置において、
編幅方向の中間に設けられ、開閉軸に対して角変位自在であり、開閉軸を支点に揺動し、支点から径方向の一方に延びる押圧腕で引下げ部材に接続される押圧レバーと、
押圧レバーを介して引下げ部材を閉じる方向に付勢する面圧ばねと
を含み、
開閉軸と押圧レバーとの間で隙間を伴いながら連動状態を切替える連動切替え部であって、
開閉軸が引下げ部材間を開くときは、開閉軸が押圧レバーを引下げ部材間が離れる方向に揺動させ、
開閉軸が引下げ部材間を閉じるとき、引下げ部材間が閉じるまでは、面圧ばねの付勢で押圧レバーを開閉軸に追従するように揺動させ、引下げ部材間が閉じてからは、隙間の範囲内で、開閉軸のみが回る状態となるように切替える連動切替え部をさらに含むことを特徴とする編地引下げ装置。
【請求項２】
前記引下げ部材は、前記回転軸を中心とする円筒面が前記外周となる引下げローラーであることを特徴とする請求項１記載の編地引下げ装置。  
【請求項３】
前記開閉軸で支持され、支持される角度を調整可能な支持部と、
支持部を開閉軸に固定する固定部とを含み、
前記押圧レバーとの間に前記連動切り替え部を形成する
切替え部材を備えることを特徴とする請求項１または２記載の編地引下げ装置。
【請求項４】
前記押圧レバーと前記切替え部材との一方には前記開閉軸に平行なピン、他方にはピンの外径よりも大きい内径を有してピンが挿入可能な孔を有し、
前記連動切替え部は、ピンが孔に挿入される状態で形成される
ことを特徴とする請求項３記載の編地引下げ装置。
【請求項５】
前記編幅方向の中間に設けられ、前記開閉軸を受けて開閉軸の変形を制限する受け部材をさらに含むことを特徴とする請求項１から４までのいずれか一つに記載の編地引下げ装置。
【発明の詳細な説明】
【技術分野】
【０００１】
本発明は、横編機の針床で編成される編地を、歯口の下方に引下げる編地引下げ装置に関する。
【背景技術】
【０００２】
従来から、横編機は、歯口を挟んで対向する前後一対の針床を備え、各針床から歯口に進退する編針の先端に設けるフックに編糸を供給しながら編地を編成する。編地引下げ装置は、編成される編地に、下方への張力を作用させる（たとえば特許文献１参照）。
【０００３】
特許文献１の編地引下げ装置は、一対のローラーと、駆動機構と、開閉機構と、開閉軸とを備える。一対のローラーは、外周の相互間を開く方向と閉じる方向とに開閉可能である。各ローラーの外周は、円筒面であり、編幅方向に延びる回転軸で周回駆動される。各ローラーの周回駆動は、外周間に編地を挟むように閉じる状態で、編地を引下げる方向に行われる。駆動機構は、編幅方向の少なくとも一方の端部に設けられて、回転軸を駆動する。開閉機構は、編幅方向の両側に設けられ、両ローラー間を開閉する。開閉軸は、編幅方向に延びて両側の開閉機構を連動させるように回動する。開閉機構が有するばねは、編地を挟むローラーが編地に面圧を掛けるように、ローラー間を閉じる方向に付勢する。
【０００４】
編幅方向の両側と中間とに、ローラーに面圧を付与可能なばねを有する開閉機構を備え、中間でも面圧付与が可能な編地引下げ装置も開示されている（特許文献２の第１図参照）。この編地引下げ装置の開閉機構は、編幅方向の両側を連結する支持軸まわりに揺動する揺動腕を備える。揺動腕は、支持軸で揺動自在に支持され、支持軸を中心とする径方向の一方側でローラーを支持し、他方側で駆動を受ける。揺動腕の揺動は、ローラー間を開閉させる。揺動腕の駆動は、支持軸とは別に、編幅方向の両側を連結する駆動軸に設ける切欠フランジを介して行う。面圧付与のためのばねは、切欠フランジと揺動腕との間に設けられ、ローラー間を閉じる方向に付勢する。ローラー間を開く方向への揺動腕の揺動は、切欠フランジの切欠端面が揺動腕に設ける係止部材に当接して駆動する。
【先行技術文献】
【特許文献】
【０００５】
【特許文献１】国際公開２０１１／０１８８９１号
【特許文献２】特公平６−６５７８０号公報
【発明の概要】
【発明が解決しようとする課題】
【０００６】
横編機で編幅が大きくなると、編地引下げ装置のローラーなどは、長尺となる。特許文献１の編地引下げ装置は、編幅の両側に設ける開閉機構でばね付勢による面圧付与を行っている。しかしながら、長尺のローラーなど中間で撓みやすくなり、ばねに近い両端側は面圧が効いても、中央に近づくほど面圧が効かなくなって、面圧が不均一になる。編地の引下げは、編針によって新たに編目が形成され、先に形成された編目がノックオーバーされる過程に影響する。編地引下げの面圧の不均一で効きが弱くなると、編地の引下げ力が低下し、ノックオーバーの不良に影響する。また面圧の不均一は、編地の引下げ力の不均一を招き、編成される編目の大きさや編地の外形寸法などに影響する。
【０００７】
編幅方向の中間で面圧が不均一になるおそれは、特許文献２のように中間でも面圧を付与する構成にすれば生じないと期待される。しかしながら、編幅方向の両側を連結する軸は、各開閉機構で揺動腕を揺動させる支点となる支持軸と、揺動腕を駆動する切欠フランジの駆動軸とが必要となり、特許文献１の構成に比較して１本多くなる。開閉機構での面圧増大のためにばねを伸長させると、切欠フランジの切欠端面と揺動腕の係止部材との間隔が開いてしまう。ローラー間を開くように駆動する際には、切欠端面を係止部材に当接させる必要があるので、ローラー間を開く動作が面圧に応じて遅れるおそれがある。
【０００８】
本発明の目的は、編幅方向の中間での面圧不均一を防ぐことが可能で、中間での面圧付与が引下げ部材間を開く動作に影響しない編地引下げ装置を提供することである。
【課題を解決するための手段】
【０００９】
本発明は、横編機で編成されて歯口下方に垂れ下がる編地を挟むことが可能な一対の引下げ部材であって、
両引下げ部材は、相互間を開く方向と閉じる方向とに開閉可能で、
各引下げ部材は、編幅方向に延びる回転軸で周回駆動される外周を有し、
周回駆動は、外周間に編地を挟むことが可能な閉じる状態で、編地を引下げる方向に行われる
引下げ部材と、
編幅方向の少なくとも一方側に設けられる回転軸の駆動機構と、
編幅方向の両側に設けられる両引下げ部材の開閉機構と、
編幅方向に延びて両側の開閉機構を連動させるように回動する開閉軸と
を備える編地引下げ装置において、
編幅方向の中間に設けられ、開閉軸に対して角変位自在であり、開閉軸を支点に揺動し、支点から径方向の一方に延びる押圧腕で引下げ部材に接続される押圧レバーと、
押圧レバーを介して引下げ部材を閉じる方向に付勢する面圧ばねと
を含み、
開閉軸と押圧レバーとの間で隙間を伴いながら連動状態を切替える連動切替え部であって、
開閉軸が引下げ部材間を開くときは、開閉軸が押圧レバーを引下げ部材間が離れる方向に揺動させ、
開閉軸が引下げ部材間を閉じるとき、引下げ部材間が閉じるまでは、面圧ばねの付勢で押圧レバーを開閉軸に追従するように揺動させ、引下げ部材間が閉じてからは、隙間の範囲内で、開閉軸のみが回る状態となるように切替える連動切替え部をさらに含むことを特徴とする編地引下げ装置である。
【００１０】
また本発明で、前記引下げ部材は、前記回転軸を中心とする円筒面が前記外周となる引下げローラーであることを特徴とする。  
【００１１】
また本発明は、前記開閉軸で支持され、支持される角度を調整可能な支持部と、
支持部を開閉軸に固定する固定部とを含み、
前記押圧レバーとの間に前記連動切替え部を形成する
切替え部材を備えることを特徴とする。
【００１２】
また本発明で、前記押圧レバーと前記切替え部材との一方には前記開閉軸に平行なピン、他方にはピンの外径よりも大きい内径を有してピンが挿入可能な孔を有し、
前記連動切替え部は、ピンが孔に挿入される状態で形成される
ことを特徴とする。
【００１３】
また本発明は、前記編幅方向の中間に設けられ、前記開閉軸を受けて開閉軸の変形を制限する受け部材をさらに含む
ことを特徴とする。
【発明の効果】
【００１４】
本発明によれば、面圧ばねは、編幅方向の中間で、引下げ部材間に編地を挟む際の面圧を付与するように押圧レバーを付勢するので、面圧の効きが弱くなって面圧が不均一になるのを防ぐことができる。引下げ部材間を開く動作は、連動切替え部の隙間を無くしてから、開閉軸に押圧レバーを連動させる。隙間は小さいので、開く動作は、編幅方向の中間でも両側に遅れないように行うことができる。連動切替え部の隙間は、付与する面圧を増減させても影響を受けないので、中間での面圧付与が引下げ部材間を開く動作に影響しない。
【００１５】
また本発明によれば、引下げ部材のローラーが長尺になっても、編幅方向の中間の面圧は、不均一になることが防止される。
【００１６】
また本発明によれば、開閉軸の回転は切替え部材から連動切替え部を介して押圧レバーに伝達される。切替え部材は、開閉軸で支持する角度の調整が可能で、引下げ部材を閉じたときに連動切替え部に隙間を生じさせる調整を容易に行うことができる。
【００１７】
また本発明によれば、連動切替え部の隙間は、孔にピンを挿入する状態で形成することができる。
【００１８】
また本発明によれば、受け部材は、編幅方向の中間で、開閉軸の変形を防止することができる。
【図面の簡単な説明】
【００１９】
【図１】図１は、本発明の実施例１である編地引下げ装置１の概略的な構成を示す簡略化した右側面断面図である。
【図２】図２は、図１の編地引下げ装置１の部分的な正面図である。
【図３】図３は、図１の編地引下げ装置１でメインローラー３，４間を閉じている状態を示す簡略化した右側面断面図である。
【図４】図４は、図１の編地引下げ装置１でメインローラー３，４間を開いている状態を示す簡略化した右側面断面図である。
【図５】図５は、図１の押圧レバー５の構成を示す、正面図および右側面図である。
【図６】図６は、図１の切替え部材７の構成を示す、正面図および右側面図である。
【図７】図７は、図１の連動切替え部１２の動作を示す部分的な右側面断面図である。
【図８】図８は、本発明の実施例２である編地引下げ装置２１の概略的な構成を示す部分的な正面図である。
【図９】図９は、図８の受け機構２２の構成を示す右側面図である。
【発明を実施するための形態】
【００２０】
以下、図１から図７は、本発明の実施例１である編地引下げ装置１の構成に関する。図８および図９は、本発明の実施例２である編地引下げ装置２１の構成に関する。各図で対応する部分は，同一の参照符を付して示し、重複する説明を省略する場合がある。また説明の便宜上、説明対象の図には記載されていない部分について、他の図に記載される参照符を付して言及する場合がある。
【実施例１】
【００２１】
図１は、本発明の実施例１である編地引下げ装置１の概略的な構成を示す。編地引下げ装置１は、横編機２の歯口２ａの下方に設けられ、一対の引下げ部材であるメインローラー３，４を前後に備える。メインローラー３，４は、前側のメインローラー３が固定されて後側のメインローラー４が移動し、相互間を開く方向と閉じる方向とに開閉可能である。後側のメインローラー４が固定され、前側のメインローラー３が移動する場合は、押圧レバー５をメインローラー３の下方に設ければよい。各メインローラー３，４は、編幅方向に延びる回転軸３ａ，４ａと、芯材３ｂ，４ｂと、外周材３ｃ，４ｃとを有する。回転軸３ａ，４ａおよび芯材３ｂ，４ｂは、たとえば金属製である。外周材３ｃ，４ｃは、たとえばゴム材などの弾性材であり、外周表面には凹凸が形成される。このような凹凸を除けば、外周材３ｃ，４ｃの外周面は、回転軸３ａ，４ａを中心とする円筒面である。メインローラー３，４と歯口２ａとの間には、サブローラーが設けられることもある。メインローラー３，４やサブローラーは、外周間を閉じる状態で、引下げ力を発生する。回転軸３ａ，４ａの駆動機構は、編幅方向の少なくとも一方側に設けられる。メインローラー３，４の開閉機構は、特許文献１の開示と同様なものが編幅方向の両側に設けられ、メインローラー３，４間の面圧付与のためのばねが備えられる。本実施例１の編地引下げ装置１は、面圧ばね８で付勢される押圧レバー５を備え、編幅方向の中間でもメインローラー３，４間に面圧を付与する。
【００２２】
編幅方向の両側に設ける開閉機構は、揺動で一方の回転軸４ａを他方の回転軸３ａに対して開閉する。両側の開閉機構の揺動は、編幅方向に延びる開閉軸６で連動させる。押圧レバー５は、開閉軸６に挿通され、開閉軸６を支点にして揺動する。押圧レバー５は、支点から径方向の一方に延びる押圧腕５ａと他方に延びる駆動腕５ｂとを有する。押圧腕５ａは、後方のメインローラー４の回転軸４ａに接続される。押圧レバー５は、開閉軸６の周囲に軸受５ｃを有するので、開閉軸６に対して角変位自在となる。押圧腕５ａは、回転軸４ａに接続される部分に軸受５ｄを有する。開閉軸６は、切替え部材７を介して押圧レバー５が揺動するように駆動する。切替え部材７は、開閉軸６で支持され、支持される角度を調整可能な支持部７ａと、切替え部材７を開閉軸６に固定する固定部７ｂとを含む。支持部７ａは孔７ｃを有し、孔７ｃは押圧レバー５の押圧腕５ａ側に設けるピン５ｅを挿入可能である。孔７ｃの内径は、ピン５ｅの外径よりも大きい。固定部７ｂは、ねじ７ｄで開閉軸６に対して締付ける。押圧レバー５の駆動腕５ｂは、面圧ばね８の張力を受ける。この張力は、開閉軸６を支点とする押圧腕５ａがメインローラー４をメインローラー３に押し付けるように付勢して、メインローラー３，４間に面圧を付与する。面圧ばね８は、一端が駆動腕５ｂ、他端が図３、図４に示すような後方のフレーム２ｃに掛けられる。押圧レバー５、切替え部材７および面圧ばね８は、編幅方向の中間に、相互に間隔を空けて複数組を配置することもできる。
【００２３】
横編機２は、前後に対向する針床９，１０から編針を歯口２ａに進退させて、編地１１を編成する。針床９，１０は、横編機２のフレーム２ｂで支持される。メインローラー３，４は、閉じることで、編成されて歯口２ａの下方に垂れ下がる編地１１を挟んで引下げることが可能になる。メインローラー３，４間を開く必要があるのは、編地１１の編出し時に編出し装置を通過させるためである。編出しは、下方から歯口２ａまで図示を省略している編出し装置が昇降して行う。
【００２４】
押圧レバー５に設けるピン５ｅは、開閉軸６に平行であり、切替え部材７の孔７ｃとの間に連動切替え部１２を形成する。連動切替え部１２は、開閉軸６と押圧レバー５との間で隙間を伴いながら連動状態を切替える。開閉軸６がメインローラー３，４間を開く方向に回るときは、押圧レバー５は開閉軸６からの駆動で、メインローラー３，４間が離れる方向に揺動する。また開閉軸６がメインローラー３，４間を閉じる方向に回るときは、メインローラー３，４間が閉じるまで、ピン５ｅが孔７ｃに当接している状態を保つように、ばね８による付勢で押圧レバー５は開閉軸６に追従して揺動する。メインローラー３，４間が閉じると、押圧レバー５は揺動を停止する。押圧レバー５が追従して揺動しなくなっても、孔７ｃとピン５ｅとの間で形成可能な隙間の範囲内で、開閉軸６のみが回る状態となる。この状態で、面圧ばね８は、メインローラー３，４間に有効な面圧を付与する。面圧ばね８は、一端と他端との間を増減して掛け渡す長さを変えたり、張力が異なるものと取替えたりして、付与する面圧を変えることができる。駆動腕５ｂに面圧ばね８の一端を掛ける位置を変更して、支点からの長さを可変にすれば、その長さの変化でも面圧を変えることは可能である。
【００２５】
図２に示すように、押圧レバー５と切替え部材７とは、開閉軸６に沿って並ぶように配置される。メインローラー４は、芯材４ｂと外周材４ｃとがブロック状で、回転軸４ａに沿って並ぶ。ブロック間には、スペーサー４ｄが設けられる。このような構成は、メインローラー３についても同様である。押圧レバー５の押圧腕５ａは、スペーサー４ｄの代りに、軸受５ｄを介して回転軸４ａに接続される。軸受５ｄを用いるので、押圧腕５ａは、回転軸４ａを円滑に回転可能な状態で支持することができる。
【００２６】
なお、引下げ部材としては、メインローラー３，４に限らず、サブローラーにも本発明を適用することができる。また、引下げ部材は、ローラー状のものばかりではなく、回転軸によって周回駆動されるベルト状のものを使用することもできる。ベルトを使用すると、編地１１を平面で挟むような経路で周回する引下げ部材も実現可能になる。ベルトを引下げ部材とする場合も、編幅方向の中間で、ベルトに切れ目があれば、その部分で回転軸に押圧レバー５の押圧腕５ａを作用させればよい。長尺のベルトは、編幅方向で複数に分割すれば、切れ目が生じる。
【００２７】
図３に示すように、メインローラー３，４間を閉じる方向は、面圧ばね８の張力で面圧を付与することができる。面圧ばね８は、押圧レバー５の駆動腕５ｂと横編機２の後方部分のフレーム２ｃとの間に掛け渡す。連動切替え部１２のピン５ｅと孔７ｃとの間に隙間が生じていれば、面圧ばね８の張力変更などでメインローラー４の面圧が調整される。図４に示すように、メインローラー３，４間を開く方向は、開閉軸６で切替え部材７を介して押圧レバー５が迅速に駆動される。
【００２８】
図５は、押圧レバー５の構成を、左側の正面図および右側の右側面図でそれぞれ示す。押圧レバー５で揺動の支点となる開閉軸６の挿通部分は、軸受５ｃの内周側となる。軸受５ｃは、押圧レバー５に設ける装着孔に圧入されて固定される。押圧腕５ａは、ピン５ｅを圧入するピン圧入孔５ｆと、軸受５ｄを装着する軸受け装着孔５ｇとを有する。押圧レバー５の一側面は、基準面５ｈとし、ピン圧入孔５ｆとの位置関係を高精度に形成しておくことで、圧入するピン５ｅとの位置関係も高精度になる。
【００２９】
図６は、切替え部材７の構成を、左側の正面図および右側の右側面図でそれぞれ示す。支持部７ａには、開閉軸６の挿通部分となる開閉軸孔７ｅを設ける。固定部７ｂは、挿入孔７ｆとねじ孔７ｇと中間のスリットとを有し、挿入孔７ｆ側からねじ孔７ｇ側にねじ７ｄを挿入して締付けることができる。開閉軸孔７ｅに開閉軸６が挿入されていれば、締付けで切替え部材７は開閉軸６に固定される。切替え部材７の一側面は、基準面７ｈとし、孔７ｃとの位置関係を高精度に形成しておく。開閉軸６への切替え部材７の固定は、他の機構でも可能であり、たとえば開閉軸孔７ｅを２分割した部材で開閉軸６を挟んでねじで締込んでもよい。
【００３０】
図７は、連動切替え部１２の動作状態を示す。図７の左側は、ピン５ｅが孔７ｃの中央に位置する状態を示す。図７の右側は、ピン５ｅが孔７ｃに接触している状態を示す。図３の閉状態は図７の左側、図４の開状態は図７の右側にそれぞれ対応する。メインローラー３，４間が閉じている状態では、図７の左側のようにしておくことが望ましい。左側の状態は、メインローラー３，４間を閉じて、押圧レバー５と切替え部材７の基準面５ｈ，７ｈ同士を合せてねじ７ｄで固定することで得られる。ピン５ｅと孔７ｃとが接触していないので、面圧ばね８によって付与される面圧が効いている。図７の右側のように、ピン５ｅと孔７ｃとが接触すると、面圧ばね８に対応する面圧が効かなくなる。メインローラー３，４間の閉から開への移行は、編幅方向の両側の開閉機構で駆動され、開閉軸６で駆動力が伝達される。連動切替え部１２では、図７の左側のようにピン５ｅと孔７ｃとに隙間がある状態から、図７の右側のようにピン５ｅと孔７ｃとが接触する状態となり、孔７ｃでピン５ｅを押して編幅方向の中間部でもメインローラー３，４間が開く。隙間は小さいので、閉から開への移行はほとんど遅れずに、迅速に行うことができる。押圧レバー５と面圧ばね８とを編幅方向の中間に備えれば、面圧付与はできるけれども、連動切替え部１２が無いと開閉駆動が行われず、メインローラー３，４間を迅速に開くことができない。
【００３１】
押圧レバー５の揺動の支点となる開閉軸６からメインローラー４の回転軸４ａまでの距離は、開閉軸６から連動切替え部１２の位置までの距離よりも大きい。図７の左側の状態で、ピン５ｅに許容される隙間の移動は、メインローラー３，４間の開閉ではより大きく拡大され、編地１１の厚みの変動などによる変化を吸収することができる。連動切替え部１２に相当する部分は、押圧レバー５の駆動腕５ｂなど、他の位置に設けることもできる。ただし本実施例１の駆動腕５ｂでは、切替え部材７の固定部７ｂ側の配置を考慮した位置や形状の連動切替え部１２を設ける必要がある。
【００３２】
本実施例１のような切替え部材７を用いず、開閉軸６にキーを設け、押圧レバー５に設けるキー溝の幅をキーよりも広くすれば、隙間を伴う連動切替えは可能である。切替え部材７を用いる場合、切替え部材７にピンを設け、押圧レバー５に孔を設けるようにしても、本実施例と同様な効果を得ることができる。また、ピンのような凸部や孔のような凹部の形状は、円形に限らず角柱状など、他の形状でもよい。凹部は、孔のように貫通しないで、底付きの穴でもよい。連動切替え部に設ける隙間の調整は、基準面５ｈ，７ｈでの位置合せのように間接的に行うばかりではなく、直接隙間を見ながら行うこともできる。
【実施例２】
【００３３】
図８は、本発明の実施例２である編地引下げ装置２１の概略的な構成を示す。編地引下げ装置２１は、実施例１の編地引下げ装置１の構成に、受け機構２２を追加している。受け機構２２は、編幅方向の中間に１または複数組設けられるけれども、押圧レバー５および切替え部材７には干渉しない位置に配置する。受け機構２２は、開閉軸６を受けて開閉軸６の変形を制限する受け部材２３を含む。受け部材２３は、編幅方向の中間に設けられ、開閉軸６を下から受けることができる。受け部材２３の支持は、調整部材２４および支持部材２５を介して、後方のフレーム２ｄから行う。受け部材２３が開閉軸６を受ける位置は、調整ねじ２６で調整可能であり、調整後、固定ねじ２７で固定する。支持部材２５は、取付けねじ２８でフレーム２ｄに取付ける。
【００３４】
図８に示すように、受け部材２３は、略半円形の内周面で開閉軸６を下方から受けるので、開閉軸６が自重で下方に撓み、前後方向に反るような変形を矯正して防ぐことができる。受け部材２３に円筒状の挿通孔を設け、開閉軸６の全周を受けるようにしてもよい。受け部材２３の支持は、後側のメインローラー４に対する開閉軸６に対して、後方のフレーム２ｄから行えばよい。メインローラー３，４の下方の空間は、編地１１の編出しや払出しなどに使用されるからである。
【符号の説明】
【００３５】
１，２１  編地引下げ装置
２  横編機
２ａ  歯口
２ｂ，２ｃ，２ｄ  フレーム  
３，４  メインローラー
３ａ，４ａ  回転軸
３ｃ，４ｃ  外周材
５  押圧レバー
５ｅ  ピン
５ｈ，７ｈ  基準面
６  開閉軸
７  切替え部材
７ａ  支持部
７ｂ  固定部
７ｃ  孔
８  面圧ばね
９，１０  針床
１１  編地
１２  連動切替え部
２２  受け機構
２３  受け部材
【図１】
2020200551.tif 000003
【図２】
2020200551.tif 000004
【図３】
2020200551.tif 000005
【図４】
2020200551.tif 000006
【図５】
2020200551.tif 000007
【図６】
2020200551.tif 000008
【図７】
2020200551.tif 000009
【図８】
2020200551.tif 000010
【図９】
2020200551.tif 000011